(57)【要約】【課題】  ランプ等の個数を可及的に減少させ、搭載基板等の実装時の工数を削減できるようにした遊技機を提供する。【解決手段】  パチンコ機１は、半円筒状部材３８がキャラクタ４０と鏡面３８ａを有し、半円筒状部材３９が透明材料からなり且つメッセージ４１を有し、円筒状部材３８に近接するランプ１５を有して大当たり予告動作を行う演出役物１０と、予告動作選択等を行う遊技制御手段とを備える。演出役物１０はランプ１５を発光させて両半円筒状部材の相対回転を開始した後、信頼度最高時にキャラクタ４０を前面に向けた形で円筒状部材３８を停止させキャラクタ４０を前面側で覆うように半円筒状部材３９を停止させ、信頼度最低時に両半円筒状部材内面を前面に向けた形でランプ１５を露出して停止させる。【選択図】      図４
2005253679.tif 000002
【特許請求の範囲】
【請求項１】
遊技機本体の遊技盤面部に遊技表示装置と始動チャッカーとを備えてなる遊技機において、
互いに径の異なる第１及び第２の半円筒状部材を前記遊技機本体の上下方向に向く軸を中心として夫々独立して回転し得るように重ねて有し、内径側の前記第１半円筒状部材が外面にキャラクタを有し且つ内面に鏡面を有し、外径側の前記第２半円筒状部材が透明材料にて形成され且つ一部にメッセージを有し、前記上下方向軸に一致して前記第１半円筒状部材に近接する発光体を有して、信頼度毎に異なる種々の大当たり予告動作を行う演出役物と、
前記始動チャッカーへの入賞をトリガとして、前記演出役物に実行させるべき大当たり予告動作の選択及びその作動制御を行う遊技制御手段と、を備え、
前記演出役物は、
前記遊技制御手段により選択された大当たり予告動作を行う際、前記発光体を発光させつつ前記第１及び第２の半円筒状部材の相対回転を開始した後、選択された当該大当たり予告動作に対応する信頼度が最も高いとき前記キャラクタが前記遊技機本体の前面を向くように前記第１半円筒状部材を停止させると共に前記キャラクタをその前面側にて覆うように前記第２半円筒状部材を停止させ、前記信頼度が最も低いとき前記第１及び第２の半円筒状部材を双方の内面が前記遊技機本体前面を向いて前記発光体を露出させるように停止させてなる、
ことを特徴とする遊技機。
【請求項２】
前記キャラクタは、前記第１半円筒状部材の外面に直接設けられてなる、
ことを特徴とする請求項１に記載の遊技機。
【請求項３】
前記遊技制御手段は、前記信頼度が最高時と最低時との間にあっては、前記第１半円筒状部材の前記キャラクタ及び前記第２半円筒状部材の前記メッセージの何れか一方を前記遊技機本体前面に向けて停止させるように制御してなる、
ことを特徴とする請求項１又は２に記載の遊技機。
【請求項４】
前記第１及び第２の半円筒状部材を夫々回転させる２個のパルスモータを備え、
前記遊技制御手段は、前記双方のパルスモータに単位時間当たりに与えるパルス数を夫々調整して前記第１及び第２の半円筒状部材の各回転速度を前記信頼度の高低に応じて増減制御してなる、
ことを特徴とする請求項１ないし３のうち何れか１項に記載の遊技機。
【請求項５】
前記演出役物は、開口部と内面全体が鏡面状の曲面部とからなる半円筒状を呈し、前記曲面部によって前記第１及び第２の半円筒状部材の双方を前記遊技機本体後方側で覆い、且つ前記開口部から前記第１及び第２の半円筒状部材の双方を前記遊技機本体前方に開放する外方リフレクタを更に備えてなる、
ことを特徴とする請求項１ないし４のうち何れか１項に記載の遊技機。
【発明の詳細な説明】
【技術分野】
【０００１】
本発明は、パチンコ機等の遊技機に関し、詳しくは遊技中の大当たりへの期待感を与える演出装置をより簡単な構成で実現し得るようにした遊技機に関する。
【背景技術】
【０００２】
一般に、遊技機、例えばパチンコ機として、球受け皿に滞留している遊技球が、発射ハンドルの操作に応じて遊技盤上に打ち出された後、遊技盤面上の障害釘や風車等に導かれつつ盤面を流下して、各種入賞口に入球し、或いは入球せずに遊技盤下部のアウト口に流入するように構成されたものが知られている（例えば、特許文献１参照）。
【０００３】
このようなパチンコ機では、一般入賞口に入球した際にそれに対応した個数の遊技球が払い出され、またスタートチャッカーに入球した際にはこれに基づいて大当たり抽選が行われると共に所定数の遊技球が払い出され、当該抽選の結果に応じて、遊技盤の中央部分に設けられた液晶等からなる特別図柄表示画面上で所定の演出表示が行われる。大当たりの発生時には、アタッカーと呼ばれる大入賞口が開放し、入球に対応して多量の遊技球が払い出される状態となる。
【０００４】
ところで、上述のような従来のパチンコ機において、遊技盤面部に搭載される遊技部品に光源を内蔵することによって演出効果を高め、遊技者の遊技に対する期待感を高めるように構成した遊技機が提案されている（例えば、特許文献２参照）。
【０００５】
【特許文献１】特開２００３−２３６２１０号公報
【特許文献２】特開平０５−３０９１５９号公報
【発明の開示】
【発明が解決しようとする課題】
【０００６】
上記特許文献２に記載の遊技機では、上記光源として多数のランプや発光ダイオード（ＬＥＤ）を使用しているため、遊技機本体に搭載する基板や電気部品の実装において工数が増大したり、部品単価が高くなったりする不都合を生じる虞があった。
【０００７】
そこで本発明は、互いに重なり合い同軸状に相対回転し得る一対の半円筒状部材を設け、且つこれら半円筒状部材の中心に発光体を配置し、両半円筒状部材の回転後の停止状態によって種々の演出を行い得るように構成し、もって上述した課題を解決した遊技機を提供することを目的とするものである。
【課題を解決するための手段】
【０００８】
請求項１に係る本発明は（例えば図１ないし図６参照）、遊技機本体（２，３）の遊技盤面部（７）に遊技表示装置（２１）と始動チャッカー（５０）とを備えてなる遊技機（１）において、
互いに径の異なる第１及び第２の半円筒状部材（３８，３９）を前記遊技機本体（２，３）の上下方向に向く軸（ａ）を中心として夫々独立して回転し得るように重ねて有し、内径側の前記第１半円筒状部材（３８）が外面にキャラクタ（４０）を有し且つ内面に鏡面（３８ａ）を有し、外径側の前記第２半円筒状部材（３９）が透明材料にて形成され且つ一部にメッセージ（４１）を有し、前記上下方向軸（ａ）に一致して前記第１半円筒状部材（３８）に近接する発光体（１５）を有して、信頼度毎に異なる種々の大当たり予告動作を行う演出役物（１０）と、
前記始動チャッカー（５０）への入賞をトリガとして、前記演出役物（１０）に実行させるべき大当たり予告動作の選択及びその作動制御を行う遊技制御手段（３４〜３６）と、を備え、
前記演出役物（１０）は、
前記遊技制御手段（３４〜３６）により選択された大当たり予告動作を行う際、前記発光体（１５）を発光させつつ前記第１及び第２の半円筒状部材（３８，３９）の相対回転を開始した後、選択された当該大当たり予告動作に対応する信頼度が最も高いとき前記キャラクタ（４０）が前記遊技機本体（２，３）の前面を向くように前記第１半円筒状部材（３８）を停止させると共に前記キャラクタ（４０）をその前面側にて覆うように前記第２半円筒状部材（３９）を停止させ、前記信頼度が最も低いとき前記第１及び第２の半円筒状部材（３８，３９）を双方の内面が前記遊技機本体前面を向いて前記発光体（１５）を露出させるように停止させてなる、
ことを特徴とする遊技機（１）にある。
【０００９】
なお、本発明における上記「半円筒状」は、円筒を縦方向（軸に沿った方向）で半分に切断した際の形状を示す概念である。
【００１０】
請求項２に係る本発明は（例えば図２及び図４参照）、前記キャラクタ（４０）が、前記第１半円筒状部材（３８）の外面に直接設けられてなる、
ことを特徴とする請求項１に記載の遊技機（１）にある。
【００１１】
請求項３に係る本発明（例えば図２及び図４参照）は、前記遊技制御手段（３４〜３６）が、前記信頼度が最高時と最低時との間にあっては、前記第１半円筒状部材（３８）の前記キャラクタ（４０）及び前記第２半円筒状部材（３９）の前記メッセージ（４１）の何れか一方を前記遊技機本体前面に向けて停止させるように制御してなる、
ことを特徴とする請求項１又は２に記載の遊技機（１）にある。
【００１２】
請求項４に係る本発明（例えば図５及び図６参照）は、前記第１及び第２の半円筒状部材（３８，３９）を夫々回転させる２個のパルスモータ（２７，１７）を備え、
前記遊技制御手段（３４〜３６）は、前記双方のパルスモータ（２７，１７）に単位時間当たりに与えるパルス数を夫々調整して前記第１及び第２の半円筒状部材（３８，３９）の各回転速度を前記信頼度の高低に応じて増減制御してなる、
ことを特徴とする請求項１ないし３のうち何れか１項に記載の遊技機（１）にある。
【００１３】
請求項５に係る本発明（例えば図１及び図５参照）は、前記演出役物（１０）が、開口部（３７ｂ）と内面全体が鏡面状の曲面部（３７ａ）とからなる半円筒状を呈し、前記曲面部（３７ａ）によって前記第１及び第２の半円筒状部材（３８，３９）の双方を前記遊技機本体後方側で覆い、且つ前記開口部（３７ｂ）から前記第１及び第２の半円筒状部材（３８，３９）の双方を前記遊技機本体前方に開放する外方リフレクタ（３７）を更に備えてなる、
ことを特徴とする請求項１ないし４のうち何れか１項に記載の遊技機（１）にある。
【００１４】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１５】
請求項１に係る本発明によると、互いに重なり合い同軸状に相対回転し得る第１及び第２の半円筒状部材を設けると共に両半円筒状部材の中心に発光体を配置し、両半円筒状部材の回転後の停止状態によって種々の演出を行い得るように構成したので、発光体を１個のみ備えるだけで、内面の鏡面を発光体に臨ませた第１半円筒状部材を回転させ、且つ当該第１半円筒状部材の外周側にて第２半円筒状部材を回転させることで、光を演出役物の周囲に効率良く拡散させて演出効果を高めることができ、従って、光源としてのランプ等の個数を可及的に減少させ、搭載基板や電気部品の実装における工数を削減し、部品単価の可及的な低減を図ることが可能になる。また演出役物が、大当たり予告動作を行う際、発光体を発光させつつ第１及び第２の半円筒状部材の相対回転を開始した後、大当たり予告動作に対応する信頼度が最高のときキャラクタが遊技機本体の前面を向くように第１半円筒状部材を停止させると共にキャラクタをその前面側にて覆うように第２半円筒状部材を停止させ、信頼度が最低のとき第１及び第２の半円筒状部材を双方の内面が遊技機本体前面を向いて発光体を露出させるように停止させるので、遊技盤面部の狭いスペースを有効に活用しながら、大当たりの信頼度の高低（即ち、チャンス時と非チャンス時）を遊技者に、より明確に理解できるように示すことができる。
【００１６】
請求項２に係る本発明によると、キャラクタが、第１半円筒状部材の外面に直接設けられるので、第１半円筒状部材にキャラクタを、例えば印刷、転写若しくはレリーフ、又はシール状にして貼付することによって容易に形成することができる。
【００１７】
請求項３に係る本発明によると、遊技制御手段が、信頼度が最高時と最低時との間にあっては、第１半円筒状部材のキャラクタ及び第２半円筒状部材のメッセージの何れか一方を遊技機本体前面に向けて停止させるように制御することにより、大当たり予告の信頼度の遊技者に対する表現をより多彩にすることができる。
【００１８】
請求項４に係る本発明によると、遊技制御手段が、両パルスモータに単位時間当たりに与えるパルス数を夫々調整して第１及び第２の半円筒状部材の各回転速度を信頼度の高低に応じて増減制御するので、第１及び第２の半円筒状部材の停止位置に応じた信頼度の高低表現に、キャラクタやメッセージが停止するまでの回転速度の高低変化を加えることにより、大当たり予告の信頼度表現を、更に多彩化させることができる。
【００１９】
請求項５に係る本発明によると、演出役物が、開口部と内面全体が鏡面状の曲面部とからなる半円筒状を呈し、曲面部によって第１及び第２の半円筒状部材の双方を遊技機本体後方側で覆い、且つ開口部から第１及び第２の半円筒状部材の双方を遊技機本体前方に開放する外方リフレクタを更に備えるので、回転する第１及び第２の半円筒状部材から発散される発光体の光をその周囲の外方リフレクタで有効に拡散することができ、従って、光による演出効果を一層高めることができる。
【発明を実施するための最良の形態】
【００２０】
以下、本発明に係る遊技機の実施形態として、遊技場等に設置されるパチンコ機を図１ないし図６に沿って説明する。
【００２１】
なお、図１は本発明の実施形態におけるパチンコ機の外部構造を示す正面図、図２は本実施形態における演出役物の第１半円筒状部材を示す斜視図、図３は演出役物の第２半円筒状部材を示す斜視図、図４は演出役物の第１及び第２の半円筒状部材並びにランプを組み合わせた状態で示す斜視図、図５は演出役物の作動構造を示す側面図、図６は本パチンコ機の制御系を示すブロック図である。
【００２２】
本パチンコ機１は、後述の発射ハンドル９の操作による発射装置（図示せず）の作動で遊技球を遊技盤面部７に打ち出しつつ遊技を行うもので、いわゆる確率変動等の大当たりが発生した状態で不図示のアタッカー（大入賞口）に入球した遊技球に対応する数の遊技球を払い出すように構成されている。上記確率変動（確変当たり）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００２３】
図１に示すように、本パチンコ機１は、筐体２と、筐体２に開閉可能に装着された前扉３とを有しており、前扉３の前面には、透明ガラス６を有するガラス枠５が開閉可能に取付けられており、透明ガラス６の奥側には遊技盤面部７が配置されている。前扉３における遊技盤面部７の左右及び上部には演出用照明装置２３が配置されており、前扉３における上部左右及び下部には夫々、スピーカ（図示せず）を有する放音装置８が配置されている。また、ガラス枠５における中央部右方には、前扉３を筐体２側に施錠又は解放するための施錠装置４が配置されている。なお、上記筐体２及び前扉３によって遊技機本体が構成されている。
【００２４】
前扉３における下部中央には皿ユニット１３が設けられており、皿ユニット１３における右上部には、賞球及び貸球を含む遊技球が供給される球供給口１８が設けられ、皿ユニット１３における左上部壁面には、球貸ボタン１４ａ及びプリペイドカード返却ボタン１４ｂが設けられている。皿ユニット１３の中央部には、該皿ユニット１３上の遊技球を発射装置付近から皿ユニット下部の球排出口（図示せず）を通して下方に排出するための第１球抜きボタン２２ａと、皿ユニット１３上の遊技球を球供給口１８付近から上記球排出口を通して下方に排出するための第２球抜きボタン２２ｂとが配置されている。また、前扉３における皿ユニット１３の右側下方には、上記球発射装置を操作して遊技球を遊技盤面部７に向けて打ち出すための発射ハンドル９が設けられている。更に、皿ユニット１３の下部左方には、灰皿２４が配置されている。
【００２５】
上記遊技盤面部７の中央部分には液晶表示装置（遊技表示装置）２１が配置され、この液晶表示装置２１の上方の枠部２１ａ上には演出役物１０が配置され、液晶表示装置２１の下方には始動チャッカー５０が配置されている。なお、実際は、液晶表示装置２１の周囲にはセンター飾りが配置され、該センター飾りにおける始動チャッカー５０の上方には、当該センター飾り内にワープ入球口（図示せず）から導入される遊技球や導釘（図示せず）で弾き返されて導入される遊技球を始動チャッカー５０に導くように作用するステージが位置しているが、便宜上、これらセンター飾り及びステージは図示を省略している。
【００２６】
上記演出役物１０は、信頼度毎に異なる種々の大当たり予告動作を行うものであり、図１ないし図５に示すように、互いに径の異なる第１及び第２の半円筒状部材３８，３９を遊技機本体の上下方向に向く軸（上下方向軸）ａを中心として夫々独立して回転し得るように重ねて有し、内径側の第１半円筒状部材３８が外面にキャラクタ４０を有し且つ内面に鏡面３８ａを有し、外径側の第２半円筒状部材３９が透明材料にて形成され且つ一部にメッセージ４１を有し、上下方向軸ａに一致して第１半円筒状部材３８に近接するランプ（発光体）１５を有している。
【００２７】
本実施形態において上記演出役物１０における半円筒状部材３８，３９は、矢印Ａ（図４参照）で示すように、図の時計回り方向に夫々回転するように作動制御されるが、これに代えて、半円筒状部材３８，３９が時計回り方向と反時計回り方向にランダムに回転するように作動制御する構成とすることもできる。また、上記キャラクタ４０は、第１半円筒状部材３８の外面に直接設けられるため、例えば印刷、転写若しくはレリーフ、又はシール状にして貼付することによって容易に形成することができる。
【００２８】
そして、図５に示すように、液晶表示装置２１の枠部２１ａ上には円形台座１１が設けられており、該円形台座１１の中心部分には、該円形台座１１より小径の円形台座１６が固定されている。この円形台座１６上には、上記第２半円筒状部材３９が、その曲率中心を上下方向軸ａに一致させた形で下部を固定されて配置されている。また、第２半円筒状部材３９を挟んで枠部２１ａと対向する上部位置には、図１では図示を省略した枠部４２が配置されている。この枠部４２の下方を向いた面には円形台座４３が設けられている。この円形台座４３には、上記第１半円筒状部材３８が、その曲率中心を上下方向軸ａに一致させた形で上部を固定されて配置されている。
【００２９】
上記状態において、第１半円筒状部材３８内面の鏡面３８ａに近接するように突出したランプ１５は、円形台座１６の中心部分に回動自在に貫通されたソケット（図示せず）に装着され、且つ該ソケットの下部に固定されて下方に延在する円筒軸２８を介して遊技機本体側に固定されている。この円筒軸２８内には、上記ソケットに接続されてサブ基板３１側に延びるリード線（図示せず）が挿通されている。
【００３０】
また、円形台座１１の外周縁の下部には、フェースギヤ２０が該円形台座１１と同軸状に固定されている。遊技機本体側には、第２半円筒状部材３９回転用のパルスモータ１７が固定されており、このパルスモータ１７の回転軸１７ａに固定されたピニオンギヤ１９が、上記フェースギヤ２０に噛合している。更に、円形台座４３の外周縁の上部には、フェースギヤ２６が該円形台座４３と同軸状に固定されている。遊技機本体側には、第１半円筒状部材３８回転用のパルスモータ２７が固定されており、このパルスモータ２７の回転軸２７ａに固定されたピニオンギヤ２９が、上記フェースギヤ２６に噛合している。
【００３１】
そして、上記フェースギヤ２０及び円形台座１１は、枠部２１ａに対して一体的に回転自在となるように支持されており、上記フェースギヤ２６及び円形台座４３は、枠部４２に対して一体的に回転自在となるように支持されている。
【００３２】
従って、パルスモータ１７，２７が、後述する演出制御手段３６から発信される作動信号に応答して夫々に回転駆動した際、回転はピニオンギヤ１９及びフェースギヤ２０を介して円形台座１１に、またピニオンギヤ２９及びフェースギヤ２６を介して円形台座４３に伝達され、円形台座１６を介して第２半円筒状部材３９に、また円形台座４３を介して第１半円筒状部材３８に伝達されることになる。
【００３３】
また、図１に示すように、演出役物１０は、第１半円筒状部材３８及び第２半円筒状部材３９を囲むように配置された外方リフレクタ３７を備えている。この外方リフレクタ３７は、開口部３７ｂと内面全体が鏡面状の曲面部３７ａとからなる半円筒状を呈し、曲面部３７ａによって第１半円筒状部材３８及び第２半円筒状部材３９を遊技機本体後方側で覆い、且つ開口部３７ｂから第１半円筒状部材３８及び第２半円筒状部材３９を遊技機本体前方に開放するように構成されている。これにより、単体のランプ１５から放出され、回転する第１半円筒状部材３８及び第２半円筒状部材３９から発散される光を、その周囲に位置する外方リフレクタ３７で有効に拡散することができるので、光による演出効果が一層高められる。
【００３４】
また演出役物１０は、後述する演出選択手段３４によって選択された大当たり予告動作を行う際、当該予告動作に対応する演出信号が演出信号出力手段３５から発信され、これに従って演出制御手段３６から発せられた作動信号に応答して、ランプ１５を発光させつつ第１及び第２半円筒状部材３８，３９の相対回転を開始した後、選択された当該大当たり予告動作に対応する信頼度が最も高いときキャラクタ４０が遊技機本体前面を向くように第１半円筒状部材３８を停止させると共にキャラクタ４０をその前面側にて覆うように第２半円筒状部材３９を停止させ、信頼度が最も低いとき第１及び第２半円筒状部材３８，３９を双方の内面が遊技機本体前面を向いてランプ１５を露出させて停止するように作動させられる。
【００３５】
なお、本実施の形態における上記「半円筒状」は、円筒を縦方向（軸に沿った方向）で半分に切断した際の形状を示す概念である。
【００３６】
次に、本実施形態におけるパチンコ機１の制御系を図６に沿って説明する。すなわち、本制御系は、主基板（主制御基板）３０と、この主基板３０に接続されたサブ基板（サブ制御基板）３１とを有しており、該サブ基板３１には、放音装置８、演出用照明装置２３、液晶表示装置２１、ランプ１５、パルスモータ１７、及びパルスモータ２７が接続されている。
【００３７】
上記主基板３０は、本パチンコ機１の動作全体を管理するものであり、当該パチンコ機１の動作全体を管理するシステムプログラム及び遊技用の実行プログラムが予め記憶された半導体メモリ等からなる記憶部（図示せず）と、これらのプログラムを実行するマイクロプロセッサ（ＭＰＵ）とを備えている。そして主基板３０は、入賞判定手段３２と、入賞信号出力手段３３とを備えている。
【００３８】
入賞判定手段３２は、発射ハンドル９の操作で作動する発射装置（図示せず）によって遊技盤面部７に打ち出された遊技球が始動チャッカー５０に入賞（入球）したとき、始動チャッカー５０への入賞と判定する。
【００３９】
入賞信号出力手段３３は、入賞判定手段３２によって始動チャッカー５０への入賞が判定されたとき、入賞信号を出力する。
【００４０】
上記サブ基板３１は、主基板３０中の上記マイクロプロセッサから供給される演出制御信号に従って、実装された電気回路からなる適宜の手段が放音装置８、演出用照明装置２３や液晶表示装置２１を適時駆動して、遊技者の視覚及び聴覚に訴えるべく、通常時演出や大当たり時における特別演出を音や光等によって行うように機能する。サブ基板３１はまた、演出選択手段３４、演出信号出力手段３５、及び演出制御手段３６を備え、これらの手段３４〜３５によりランプ１５、放音装置８及びパルスモータ１７，２７を制御して大当たり予告動作を行うように機能する。
【００４１】
演出選択手段３４は、入賞信号出力手段３３から出力された入賞信号を受けたとき、不図示のテーブルに予め準備された複数の演出パターンの内からの選択を行う。なお、当該選択では、必ずしも演出パターンの何れかが選択されるとは限らず、何れの演出パターンも選択されないことがあり、その場合には演出役物１０の演出は行われないこととなる。
【００４２】
また、上記演出パターンは、遊技者の大当たりへの期待感を高めて遊技性を向上させるべく、ランプ１５の異なる発光状態（点灯、点滅、光の強弱）と、放音装置８の異なる放音状態（連続鳴動、断続鳴動、音の強弱）と、パルスモータ１７によるリフレクタ１２の回転速度及び停止状態（停止角度）とを種々組み合わせた複数のパターンとして構成されている。
【００４３】
演出信号出力手段３５は、演出選択手段３４によって選択された演出パターンに対応する演出信号を出力する。
【００４４】
演出制御手段３６は、入力した演出信号に基づき、選択された演出パターンに予め設定された状態となるように、ランプ１５を発光させ、放音装置８を放音作動させ、パルスモータ１７，２７を回転させて、第１半円筒状部材３８及び第２半円筒状部材３９を所定方向に所要速度で駆動した後、所定の状態（角度）で停止させる。つまり、演出制御手段３６は、選択された演出パターンに従って、ランプ１５及び放音装置８への駆動信号を制御すると共に、パルスモータ１７，２７に１秒間当たりに与えるパルス数を調整して第１半円筒状部材３８及び第２半円筒状部材３９の各回転速度を信頼度の高低に応じて増減制御した後、当該演出パターンに設定された角度で第１半円筒状部材３８及び第２半円筒状部材３９が止まるようにパルスモータ１７，２７を制御する。
【００４５】
具体的には、演出制御手段３６は、演出選択手段３４により選択された演出パターンに沿った大当たり予告動作を行う場合、ランプ１５を発光させつつ第１及び第２半円筒状部材３８，３９の相対回転を開始させた後、選択された当該大当たり予告動作に対応する信頼度が最も高いときキャラクタ４０が遊技機本体前面を向くように第１半円筒状部材３８を停止させると共にキャラクタ４０をその前面側にて覆うように第２半円筒状部材３９を停止させてメッセージ４１を重ね合わせ、また信頼度が最も低いとき第１及び第２半円筒状部材３８，３９を双方の内面が遊技機本体前面を向いてランプ１５を露出させて停止するように制御するのである。演出制御手段３６はまた、選択された演出パターンにおいての信頼度が最高時と最低時との間にある場合に、第１半円筒状部材３８のキャラクタ４０及び第２半円筒状部材３９のメッセージ４１の何れか一方を遊技機本体前面に向けて停止させる（図２及び図３参照）ように制御する。
【００４６】
なお、上記演出選択手段３４、演出信号出力手段３５及び演出制御手段３６によって、始動チャッカー５０への入賞（入球）をトリガとして、演出役物１０に実行させるべき大当たり予告動作の選択及びその作動制御を行う遊技制御手段が構成されている。
【００４７】
ついで、本パチンコ機１による作用について説明する。すなわち、本パチンコ機１に対して着座した遊技者が発射ハンドル９を握り、適宜の角度に回動操作すると、不図示の発射装置の作動によって遊技球が所定の間隔で遊技盤面部７に向けて連続的に発射される。そして、遊技盤面部７に打ち出された遊技球が、不図示のステージを経由し、或いは直接的に始動チャッカー５０に入球すると、主基板３０に備えた入賞判定手段３２が入賞と判定し、これに従って入賞信号出力手段３３が入賞信号を出力する。
【００４８】
そして、上記入賞信号を入力した演出選択手段３４が、テーブル（図示せず）に予め準備した複数の演出パターンからの選択を実行する。その結果、例えば何れかの演出パターンが選択された場合、サブ基板３１の電気回路からなる適宜手段による制御で液晶表示装置２１が図柄の変動演出を開始すると共に、演出信号出力手段３５が、選択された演出パターンに対応する演出信号を出力し、これに応答して演出制御手段３６が、選択演出パターンに応じてランプ１５を発光させ、放音装置８を放音作動させ、パルスモータ１７，２７を回転させて第１半円筒状部材３８及び第２半円筒状部材３９を所定方向に所要速度で駆動させる。この際、回転開始する直前の演出役物１０は、図４に示すように、キャラクタ４０と共にメッセージ４１を遊技者側に向けた状態にされて、意匠性が高められている。そして、演出制御手段３６は、第１半円筒状部材３８及び第２半円筒状部材３９を所定時間回転させた後、選択演出パターンに対応した所定の角度で停止させる。
【００４９】
上記選択されたパターンの演出が開始されたとき、遊技者は、ランプ１５の発光開始と半円筒状部材３８，３９の回転開始とを認識した瞬間、大当たりするかもしれないという期待感を抱き、半円筒状部材３８，３９の回転速度が早い場合には当該期待感を更に膨らませつつ、演出役物１０による演出に注目することとなる。そして、半円筒状部材３８，３９が、例えば図４に示すようにキャラクタ４０と共にメッセージ４１を遊技者側に向けた状態で停止したとき、遊技者は、信頼度が最高と認識し、液晶表示装置２１での図柄変動が大当たりの状態で停止することを期待しながら注視する。この際、始動チャッカー５０への入賞時に主基板３０にて別途行われた大当たり抽選で大当たりに当選していれば、遊技者の期待通り大当たりすることとなる。
【００５０】
一方、半円筒状部材３８，３９が、例えば半円筒状部材３８，３９双方の内面が遊技機本体前面を向いてランプ１５を露出させるように停止したとき、遊技者は、信頼度が最低と認識しつつ、液晶表示装置２１での図柄変動を見ながら遊技を続けることになる。しかし、この場合においても、始動チャッカー５０への入賞時に主基板３０にて別途行われた抽選で大当たりに当選していれば、信頼度最低との告知にも拘わらず結果は大当たりとなって、遊技者に一層大きな喜びを与えることとなる。
【００５１】
また、第１半円筒状部材３８のキャラクタ４０及び第２半円筒状部材３９のメッセージ４１の何れか一方が遊技機本体前面に向くように停止した場合、遊技者は、信頼度が最高と最低の中間であると認識しつつ、液晶表示装置２１での図柄変動を見ながら遊技を続けることになる。これにより、大当たり予告の信頼度の遊技者に対する表現が多彩化される。
【００５２】
したがって、以上の本実施形態におけるパチンコ機１によると、互いに重なり合い同軸状に相対回転し得る第１及び第２の半円筒状部材３８，３９を設けると共に両半円筒状部材３８，３９の中心にランプ１５を配置し、両半円筒状部材３８，３９の回転後の停止状態によって種々の演出を行い得るように構成したので、ランプ１５を１個のみ備えるだけで、内面の鏡面３８ａをランプ１５に臨ませた第１半円筒状部材３８を回転させ、且つ第１半円筒状部材３８の外周側にて第２半円筒状部材３９を回転させることで、光を演出役物１０の周囲に効率良く拡散させて演出効果を高めることができる。
【００５３】
従って、光源としてのランプ等の個数を可及的に減少させ、搭載基板や電気部品の実装における工数を削減し、部品単価の可及的な低減を図ることが可能になる。また演出役物１０が、大当たり予告動作を行う際、ランプ１５を発光させつつ第１及び第２の半円筒状部材３８，３９の相対回転を開始した後、大当たり予告動作に対応する信頼度が最高のときキャラクタ４０が遊技機本体前面を向くように第１半円筒状部材３８を停止させると共にキャラクタ４０をその前面側にて覆うように第２半円筒状部材３９を停止させ、信頼度が最低のとき第１及び第２の半円筒状部材３８，３９を双方の内面が遊技機本体前面を向いてランプ１５を露出させるように停止させるので、遊技盤面部７の狭いスペースを有効に活用しながら、大当たりの信頼度の高低（即ち、チャンス時と非チャンス時）を遊技者に、より明確に理解できるように示すことができる。
【００５４】
また、遊技制御手段としての演出選択手段３４、演出信号出力手段３５及び演出制御手段３６が、両パルスモータ１７，２７に１秒間当たりに与えるパルス数を夫々調整して第１及び第２の半円筒状部材３８，３９の各回転速度を信頼度の高低に応じて増減制御するので、半円筒状部材３８，３９双方の停止位置に応じた信頼度の高低表現に、キャラクタ４やメッセージ４１が停止するまでの回転速度の高低変化を加えることにより、大当たり予告の信頼度表現を、更に多彩化させることができる。
【００５５】
なお、本実施の形態では、キャラクタ４０と共にメッセージ４１を遊技者側に向けた状態で停止したとき信頼度が最高となる旨の説明をしたが、例えば、当該停止状態のときを大当たり１００％（大当たり確定）の表示となるように構成することも可能である。また、半円筒状部材３８，３９が何れかの状態で停止して液晶表示装置２１上の演出で通常当たりが得られた際、その直後に半円筒状部材３８，３９双方を再度回転させてキャラクタ４０及びメッセージ４１双方を前面に向けた状態（図４参照）で停止させ、これにより通常当たりが確変当たりに昇格する演出となるように制御する構成とすることも可能である。
【００５６】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００５７】
【図１】本発明の第１実施形態におけるパチンコ機の外部構造を示す正面図である。
【図２】本実施形態における演出役物の第１半円筒状部材を示す斜視図である。
【図３】演出役物の第２半円筒状部材を示す斜視図である。
【図４】演出役物の第１及び第２の半円筒状部材並びにランプを組み合わせた状態で示す斜視図である。
【図５】演出役物の作動構造を示す側面図である。
【図６】本パチンコ機の制御系を示すブロック図である。
【符号の説明】
【００５８】
１…パチンコ機（遊技機）
２…筐体
３…前扉
７…遊技盤面部
１０…演出役物
１５…ランプ（発光体）
１７，２７…パルスモータ
２１…液晶表示装置（遊技表示装置）
３４…演出選択手段
３５…演出信号出力手段
３６…演出制御手段
３７…外方リフレクタ
３７ａ…曲面部
３７ｂ…開口部
３８…第１半円筒状部材
３８ａ…鏡面
３９…第２半円筒状部材
４０…キャラクタ
４１…メッセージ
５０…始動チャッカー
ａ…上下方向軸
【図１】
2005253679.tif 000003
【図２】
2005253679.tif 000004
【図３】
2005253679.tif 000005
【図４】
2005253679.tif 000006
【図５】
2005253679.tif 000007
【図６】
2005253679.tif 000008